(57)【特許請求の範囲】
【請求項１】
ポンプを制御するための制御回路基板を収納するポンプ制御用電装箱であって、
前記制御回路基板を収納する金属製ケース及びこの金属製ケースと嵌め合わされる樹脂製カバーとを有する筺体と、
この筐体に設けられ、前記制御回路基板に接続された配線を外部へ導出するとともに、配線と筐体との隙間を極小とする配線孔と、
前記樹脂製カバーに除去可能に設けられ前記配線孔を閉塞する閉塞片とを備えていることを特徴とするポンプ制御用電装箱。
【請求項２】
前記配線は２本の導線を並列にして形成され、
前記配線孔は、前記配線の断面において前記２本の導線のそれぞれの中心間を結ぶ線の中央を中心とし、前記導線の直径を半径に持つ円よりも狭く、かつ、前記配線を通すことが可能な断面を有する四隅を持った形状の孔であることを特徴とする請求項１記載のポンプ制御用電装箱。
【請求項３】
前記閉塞片の肉厚が前記樹脂製カバーの肉厚よりも薄肉であることを特徴とする請求項１記載のポンプ制御用電装箱。
【請求項４】
前記配線孔は、前記金属製ケースに設けられていることを特徴とする請求項１乃至３のいずれか記載のポンプ制御用電装箱。
【請求項５】
前記配線孔は、前記樹脂製カバーに設けられていることを特徴とする請求項１乃至３のいずれか記載のポンプ制御用電装箱。
【請求項６】
前記金属製ケースの周壁の縁に設けられた切欠きを有し、
前記金属製ケースと前記樹脂製カバーが嵌め合わされて筺体を形成した状態で、前記樹脂製カバーの周壁の縁と前記切欠きで前記配線孔を形成することを特徴とする請求項１乃至３のいずれか記載のポンプ制御用電装箱。
【請求項７】
前記閉塞片が前記樹脂製カバーの周壁の縁に設けられ、前記切欠きに隙間なく嵌め合わされる形状であることを特徴とする請求項６記載のポンプ制御用電装箱。
【発明の詳細な説明】
【技術分野】
【０００１】
本発明は、制御回路基板を収納するポンプ制御用電装箱に関し、特に外部機器接続用の配線孔の改良に関する。
【背景技術】
【０００２】
ポンプ制御用電装箱は、合成樹脂製や金属製のケースの内部に給水ポンプを制御するための制御回路基板が収納されて構成されている。ポンプ制御用電装箱は除菌器等の外部機器と共に用いることがあり、その場合は外部機器と制御回路基板を配線で接続する必要がある。
【０００３】
給水ポンプ用のポンプ制御用電装箱は、井戸などの付近の湿気のある野外に設置されるため、そのポンプ制御用電装箱の付近のナメクジや蟻などの生物がケースの配線導入部に生じている隙間を通ってケース内に侵入することがある。生物は水分を含んでいるため、このような生物がケース内に侵入すると、各種の電子部品を備える制御回路基板の絶縁が低下して絶縁不良を起こし、給水ポンプの制御に支障をきたしてしまう虞がある。
【０００４】
このような問題を解決するために、ケースの内部にバリアを設け、生物の侵入を防止する給水ポンプ用電装箱装置が提案されている（例えば、特許文献１参照）。
【特許文献１】特開２００７−０２８７０７号公報
【発明の開示】
【発明が解決しようとする課題】
【０００５】
上述した給水ポンプ用電装箱装置では、次のような問題があった。すなわち、上記のバリアにより制御回路基板に生物が接触し、絶縁不良が起こるような事態は防ぐことができる。しかしバリアによって形成されるスペースまでは生物は侵入できる。
【０００６】
また、配線を使っている場合は問題ないが、配線を用いず利用する場合は配線導入部が開放された状態でポンプ制御用電装箱を使用することになる。従来ではこの開放された配線導入部にシールなどで蓋をしていたが、この方法では部品点数が増えることになり、製造コストが増大する。
【０００７】
従って本発明の目的は、外部機器への配線を接続する前後においてナメクジや蟻等の生物の侵入を防止し、内部の制御基板の絶縁不良を防止できるポンプ制御用電装箱を提供することである。
【課題を解決するための手段】
【０００８】
本発明は、ポンプを制御するための制御回路基板を収納するポンプ制御用電装箱であって、前記制御回路基板を収納する金属製ケース及びこの金属製ケースと嵌め合わされる樹脂製カバーとを有する筺体と、この筐体に設けられ、前記制御回路基板に接続された配線を外部へ導出するとともに、配線と筐体との隙間を極小とする配線孔と、前記樹脂製カバーに除去可能に設けられ前記配線孔を閉塞する閉塞片とを備えていることを特徴とする。
【発明の効果】
【０００９】
本発明によれば、外部機器への配線を接続する前後においてナメクジや蟻等の生物の侵入を防止し、内部の制御基板の絶縁不良を防止することが可能となる。
【発明を実施するための最良の形態】
【００１０】
図１は本発明の一実施の形態に係るポンプ制御用電装箱１を示す斜視図、図２はポンプ制御用電装箱１の切欠き部３０周辺を拡大した正面図である。
【００１１】
ポンプ制御用電装箱１は、筐体２を備えている。筐体２は、例えばアルミダイキャスト製である金属製ケース１０及び樹脂製カバー１１によって構成されている。筺体２の内部には、制御回路基板１３が収納されている。
【００１２】
金属製ケース１０のケース周壁１０ａは、樹脂製カバー１１のカバー周壁１１ａが形成するカバー開口部１１ｂに対応し、嵌め合わされる形状のケース開口部１０ｂを形成している。金属製ケース１０の底壁１０ｃには、制御回路基板１３を支持する支持部が設けられており、制御回路基板１３を支持している。
【００１３】
制御回路基板１３はポンプＰとの間で信号を入出力し、ユーザの設定に応じた情報処理を行いポンプＰの制御を行うものである。また、除菌器等の外部機器Ｑと接続されて駆動を行う機能も有している。制御回路基板１３は筐体２の内部でポンプ制御ケーブル２０の一端と接続されており、ポンプ制御ケーブル２０は他端でポンプＰと接続され、制御回路基板１３からの信号を伝達しポンプＰの作動を制御する。
【００１４】
ポンプ制御ケーブル２０は金属製ケース１０に設けられたケーブル導入孔２１を通って、外部から筐体２内部の制御回路基板１３に接続されている。ケーブル導入孔２１はポンプ制御ケーブル２０が十分通ることができるとともに、後述するように生物の侵入を防止できる径を持つ孔である。
【００１５】
ポンプ制御ケーブル２０とケーブル導入孔２１の間に生じた隙間は、ケーブル導入孔２１の外側でポンプ制御ケーブル２０の外周を覆うシーリング２２によって塞がれている。シーリング２２は例えば樹脂製であり、金属製ケース１０及びポンプ制御ケーブル２０と密着して虫や埃などの侵入を防ぐ。
【００１６】
ケーブル導入孔２１は、次のように構成されている。すなわち、ケース周壁１０ａのカバー周壁１１ａと当接する縁に、図２に示すように切欠き部３０が設けられている。
【００１７】
切欠き部３０はケース周壁１０ａの縁に対して直角な第１の側面３０ａと第２の側面３０ｂと、第１の側面３０ａと第２の側面３０ｂからそれぞれ連続して形成される第１の曲面３０ｃと第２の曲面３０ｄと、第１の曲面３０ｃと第２の曲面３０ｄの間に連続して形成されケース周壁１０ａの直近の縁と平行である底面３０ｅにより形成されている。
【００１８】
カバー周壁１１ａの切欠き部３０に対応する縁には、樹脂製カバー１１と一体に成形され、切欠き部３０に嵌め込まれる閉塞片３１が設けられている。閉塞片３１は切欠き部３０に隙間無く嵌め込まれる形状を有している。
【００１９】
閉塞片３１はカバー周壁１１ａの縁に対して直角な第３の側面３１ａと第４の側面３１ｂと、第３の側面３１ａと第４の側面３１ｂからそれぞれ連続して形成される第３の曲面３１ｃと第４の曲面３１ｄと、第３の曲面３１ｃと第４の曲面３１ｄの間に連続して形成されカバー周壁１１ａの直近の縁と平行である先端面３１ｅにより形成されている。
【００２０】
図３は図１中Ａ−Ａ´線の位置で切断した断面図である。閉塞片３１は筐体２の外側において、ケース周壁１０ａ及びカバー周壁１１ａと連続した外面を形成している。しかし閉塞片３１は金属製ケース１０及び樹脂製カバー１１の肉厚に比べ薄肉となっている。そのため内側又は外側より力を加えられると、二点鎖線Ｌで示した線の周辺で折れ、樹脂製カバー１１より破断させ取外すことができる。
【００２１】
閉塞片３１を取外した場合、樹脂製カバー１１と閉塞片３１が破断した箇所と、カバー周壁１１ａの縁が上縁３２を形成する。
【００２２】
上縁３２及び切欠き部３０の第１の側面３０ａ、第２の側面３０ｂ、第１の曲面３０ｃ、第２の曲面３０ｄ、底面３０ｅは配線孔３３を形成する。この配線孔３３に、２本の導線が並列に組み合わされた配線３４が通される。
【００２３】
図４は配線孔３３に配線３４が通された状態を示す。配線孔３３は二点鎖線で示される２本の導線３４ａのそれぞれの中心間を結ぶ線の中央Ｘを中心とし、導線の直径を半径に持つ円Ｃよりも狭く、かつ、配線３４を通すことができる断面積を有する四隅を持つ形状の孔である。四隅は２本の直線により構成される角でも、曲線によって構成されたものでも良い。
【００２４】
図５は配線孔３３に配線３４が通された状態における図１のＡ−Ａ´線の位置で切断した断面図である。
【００２５】
以下に本実施の形態に係るポンプ制御用電装箱１の作用について説明する。すなわち、ポンプ制御用電装箱１は外部機器Ｑを接続せずに利用する場合、樹脂製カバー１１と一体に成形された閉塞片３１により配線孔３３が閉塞されている。閉塞片３１は金属製カバー１０に形成された切欠き部３０に隙間無く嵌め込まれている。よって、虫や埃などが配線孔３３より侵入することがない。
【００２６】
ポンプ制御用電装箱１に外部機器Ｑを接続して利用する場合は、樹脂製カバー１１を金属製カバー１０より取り外し、閉塞片３１を折って樹脂製カバー１１から取外す。閉塞片３１は樹脂製カバー１１と一体に成形された樹脂製で、しかも樹脂製カバー１１に比べ薄肉であるので容易に折ることができる。また閉塞片３１はカバー周壁１１ａの縁から突き出た凸部となっているため、ニッパーなどで切って除去することが容易である。
【００２７】
制御回路基板１３に配線３４の一端を接続し、配線３４を切欠き部３０に通した状態で、金属製ケース１０に樹脂製カバー１１を嵌め込む。これにより、ポンプ制御用電装箱１に外部機器Ｑが接続され、配線孔３３に配線３４が通った状態となる。
【００２８】
配線孔３３は配線３４を構成する導線３４ａの直径とほぼ同じ高さと、配線３４の断面の長手方向の長さとほぼ同じ幅を有している。具体的に言えば配線孔３３は、２本の導線のそれぞれの中心間を結ぶ線の中央を中心とし、導線３４ａの直径を半径に持つ円Ｃよりも狭く、かつ配線３４を通すことができる断面積を有する四隅を持つ形状の孔である。
【００２９】
配線孔を円Ｃのような円形とすると、配線３４を通した場合も配線３４との隙間が大きく、虫や埃などの侵入を許してしまう。配線孔３３は円Ｃに比べ配線３４との隙間が格段に小さいため、虫や埃などの侵入を防ぐ。
【００３０】
上述したように、本実施の形態に係るポンプ制御用電装箱１によれば、外部機器Ｑへの配線を接続する前後においてナメクジや蟻等の生物の侵入を防止し、内部の制御回路基板１３の絶縁不良を防止することが可能となる。また、製造コストや部品コストを低減することができ、設置も容易となる。
【００３１】
なお、本発明は前記実施の形態に限定されるものではない。例えば、上述した例では、切欠き部と樹脂製カバーの縁が配線孔を形成したものについて説明したが、金属製ケースに配線孔が形成されたものや、樹脂製カバーに配線孔が形成されたものでもよい。
【００３２】
なお、金属製ケースに配線孔を形成する場合は、樹脂製カバーが配線孔近傍の部分まで金属製ケースを外部から覆うように嵌め合わされる形状とすれば良い。樹脂製カバーに配線孔を形成する場合は、閉塞片と樹脂製カバーの間に溝や切れ込みを設けた形状で一体に成形し、閉塞片を除去すると配線孔が形成される形状とすれば良い。
【００３３】
また閉塞片を樹脂製ケースの肉厚に比べ薄肉としたが、樹脂製ケースと閉塞片の間に溝を設けるなど、折れやすい形状とすれば閉塞片と樹脂製カバーは同じ肉厚でも良い。要するに、閉塞片を折って除去すれば配線孔が形成されるものであれば良い。
【００３４】
さらに、金属製ケース、樹脂製カバー、配線孔および閉塞片をはじめとして、発明の構成要素の構造及び配置を適宜に変更してもよい。この他、本発明の要旨を逸脱しない範囲で種々変形実施可能であるのは勿論である。
【図面の簡単な説明】
【００３５】
【図１】本発明の一実施の形態に係るポンプ制御用電装箱を示す斜視図。
【図２】同ポンプ制御用電装箱の要部を拡大して示す正面図。
【図３】同ポンプ制御用電装箱の要部を図１中Ａ−Ａ´線の位置で切断して示す断面図。
【図４】同ポンプ制御用電装箱の要部を示す正面図。
【図５】同ポンプ制御用電装箱の要部を図１中Ａ−Ａ´線の位置で切断して示す断面図。
【符号の説明】
【００３６】
１０ａ…ケース周壁，１１ａ…カバー周壁，３０…切欠き部，３０ａ…第１の側面，３０ｂ…第２の側面，３０ｃ…第１の曲面，３０ｄ…第２の曲面，３０ｅ…底面，３２…上縁，３３…配線孔，３４…配線。
【図１】
0005117289.tif 000002
【図２】
0005117289.tif 000003
【図３】
0005117289.tif 000004
【図４】
0005117289.tif 000005
【図５】
0005117289.tif 000006